(57)【要約】      （修正有）【課題】構造が簡素でありながら密閉性が良好で内容物を余すところなく吐出できるポンプ式液体密閉容器を提供する。【解決手段】液状の内容物を収容する収容空間１０１を形成する本体１００と、本体の上部に嵌め込まれて疎通口２０１を具備した連結カバー２００と、疎通口２０１を閉鎖したり開放したりするチェック板３００と、内容物を長手方向に移動させる移動流路４０１を具備した弾性ポンプ４００と、弾性ポンプ４００の吐出チューブ４０２の形態を変形させることにより、吐出路５０１と移動流路４０１とを互いに疎通させる吐出ボタン５００とを含んでなる。【選択図】図２
2019018917.tif 000002
【特許請求の範囲】
【請求項１】
液状の内容物を収容するように、上部が開放された筒状に長くなり、前記内容物を収容する収容空間を形成する本体と、
前記本体の上部に嵌め込まれ、前記収容空間を限定し、上部が開放された配置空間を形成し、前記収容空間に向かう下部に、前記収容空間と配置空間とを疎通させる疎通口を具備した連結カバーと、
前記疎通口に設けられた状態で、真空圧力によって昇降することにより、前記疎通口を閉鎖したり開放したりするチェック板と、
前記収容空間に収容された内容物を移動させることができるように、フレキシブル素材によってなり、長く形成され、前記連結カバーの配置空間に配置され、前記チェック板の上昇による前記疎通口の開放時、前記収容空間と疎通し、前記内容物を長手方向に移動させる移動流路を具備した弾性ポンプと、
前記移動流路に収容された前記内容物を外部に吐出させることができるように、前記連結カバーの上部に昇降自在に嵌め込まれ、外部に通じる吐出路と前記移動流路とに嵌め込まれ、その移動流路を密閉させる密閉突出リングを内部に具備し、前記チェック板の下降によって疎通口が閉鎖された状態での下降時、前記移動流路に真空圧力を発生させ、前記密閉突出リングと密着された弾性ポンプの吐出チューブの形態を変形させることにより、前記吐出路と移動流路とを互いに疎通させる吐出ボタンと、を含んでなるポンプ式液体密閉容器。
【請求項２】
前記吐出ボタンは、
真空圧力による前記吐出チューブの形態変形時、前記移動流路と前記吐出路とを互いに疎通させる疎通流路を形成することを特徴とする請求項１に記載のポンプ式液体密閉容器。
【請求項３】
前記連結カバーは、前記収容空間に向かう下部に凹型になり、前記疎通口が中心に形成された挿入部を具備し、
前記チェック板は、
リング状になり、前記挿入部に嵌め込まれる挿入リングと、
前記疎通口の内部形態と対応するように形成されて昇降し、前記疎通口を開放させたり閉鎖させたりする開閉部材と、
前記開閉部材が挿入リングに連結された状態で昇降することができるように、前記挿入リングの内周面から延長され、前記開閉部材に連結される複数の連結リブと、を含んでなることを特徴とする請求項１に記載のポンプ式液体密閉容器。
【請求項４】
前記吐出ボタンの上昇により、前記疎通口が開放される場合、内容物を移動させることができるように、板状になり、前記収容空間に上昇自在に配置され、真空圧力による上昇時、前記内容物を前記移動流路側に押し上げ、前記収容空間を分割し、前記本体の下部に形成された流入口を介して空気を流入させる空気流入空間を形成する引き上げピストンをさらに含んでなることを特徴とする請求項１に記載のポンプ式液体密閉容器。
【請求項５】
前記吐出チューブは、前記移動流路の密閉力を増大させることができるように、二重構造によってなり、前記密閉突出リングが嵌め込まれる嵌め込み溝を形成し、内側に配置された吐出チューブに、前記移動流路と嵌め込み溝とを連通させる複数の連通口を具備し、
前記密閉突出リングは、前記内容物が滑らかに吐出されるように、前記連通口と互い違いに具備され、前記移動流路と疎通流路とを連通させる連結口を具備することを特徴とする請求項１に記載のポンプ式液体密閉容器。
【発明の詳細な説明】
【技術分野】
【０００１】
本発明は、ポンプ式液体密閉容器に係り、さらに詳細には、液状の内容物を余すところなく効果的に吐出させることができ、簡素化された構造によってなり、密閉力が増大するように、構造が改善されたポンプ式液体密閉容器に関する。
【背景技術】
【０００２】
一般的に、化粧品、医療用試薬のような液状の内容物を保存する液体容器は、圧力を利用して、一定量の内容物を外部に吐出させることができるようにポンプ装置を具備する。かようなポンプ装置（ポンプユニット）は、内容物を空気と遮断させるエアレス型、空気を流入させてフォームを形成する泡型、容器の底まで管を連結し、内容物を引き上げるディップチューブ型など多様な方式に分けられる。
【０００３】
該エアレス型の液体容器は、ユーザが指でプッシュボタンを押せば、その圧力によって、容器の内部に真空圧力が生じ、該真空圧力によって、内部に収容された内容物が一定量ずつ、ノズルを介して外部に吐出される。一方、ディップチューブ型の液体容器は、ユーザがプッシュボタンを押す時に生じる圧力によって、容器の内部と外部とを疎通させる管でもって内容物を吸入させることにより、その内容物を外部に吐出させる。
【０００４】
かような従来の液体容器は、ユーザがプッシュボタンを押す動作を行い、容易に内容物を吐出させることができるという長所を有するが、内部に残留する少量の内容物を余すところなく吐出させ難く、構造が複雑になされ、反復使用時、密閉力を維持し難いという問題点を有する。
【０００５】
従来技術としては、特許文献１がある。
【先行技術文献】
【特許文献】
【０００６】
【特許文献１】韓国登録実用新案第２０−０４５６２３８号「フォーム噴出容器」
【発明の概要】
【発明が解決しようとする課題】
【０００７】
本発明は、前述のところのような問題点を解決するために案出されたものであり、本発明の目的は、液状またはゲル状の内容物を余すところなく効果的に吐出させることができ、構造を簡素化させ、高い密閉力を有するポンプ式液体密閉容器を提供することである。
【０００８】
本発明の解決課題は、以上で言及されたところに限定されるものではなく、言及されていない他の解決課題は、以下の記載から、当業者に明確に理解されるであろう。
【課題を解決するための手段】
【０００９】
前記目的を達成するための本発明によるポンプ式液体密閉容器は、液状の内容物を収容するように、上部が開放された筒状に長くなって内容物を収容する収容空間を形成する本体と、該本体の上部に嵌め込まれて収容空間を限定し、上部が開放された配置空間を形成し、該収容空間に向かう下部に、収容空間と配置空間とを疎通させる疎通口を具備した連結カバーと、該疎通口に設けられた状態で、真空圧力によって昇降することにより、該疎通口を閉鎖したり開放したりするチェック板と、該収容空間に収容された内容物を移動させることができるように、フレキシブルな素材によってなり、長く形成されて該連結カバーの該配置空間に配置され、該チェック板の上昇による疎通口の開放時、該収容空間と疎通し、内容物を長手方向に移動させる移動流路を具備した弾性ポンプと、該移動流路に収容された内容物を外部に吐出させることができるように、該連結カバーの上部に昇降可能に嵌め込まれ、外部に通じる吐出路と移動流路とに嵌め込まれ、その移動流路を密閉させる密閉突出リングを内部に具備し、チェック板の下降によって疎通口が閉鎖された状態での下降時、該移動流路に真空圧力を発生させ、密閉突出リングと密着された弾性ポンプの吐出チューブの形態を変形させることにより、該吐出路と該移動流路とを互いに疎通させる吐出ボタンと、を含んでなる。
【００１０】
前記吐出ボタンは、真空圧力による前記吐出チューブの形態変形時、前記移動流路と前記吐出路とを互いに疎通させる疎通流路を形成することが望ましい。
【００１１】
前記連結カバーは、前記収容空間に向かう下部に凹型になり、前記疎通口が中心に形成された挿入部を具備することができる。
【００１２】
前記チェック板は、リング状になり、前記挿入部に嵌め込まれる挿入リングと、疎通口の内部形態と対応するように形成されて昇降し、前記疎通口を開放させたり閉鎖させたりする開閉部材と、開閉部材が挿入リングに連結された状態で昇降することができるように、前記挿入リングの内周面から延長され、前記開閉部材に連結される複数の連結リブと、を含んでなることが望ましい。
【００１３】
本発明は、前記吐出ボタンの上昇により、前記疎通口が開放される場合、内容物を移動させることができるように、板状になり、前記収容空間に上昇自在に配置され、真空圧力による上昇時、前記内容物を前記移動流路側に押し上げ、前記収容空間を分割し、前記本体の下部に形成された流入口を介して空気を流入させる空気流入空間を形成する引き上げピストンをさらに含んでもなる。
【００１４】
前記吐出チューブは、前記移動流路の密閉力を増大させることができるように、二重構造によってなり、前記密閉突出リングが嵌め込まれる嵌め込み溝を形成し、内側に配置された吐出チューブに、前記移動流路と嵌め込み溝とを連通させる複数の連通口を具備することが望ましい。
【００１５】
前記密閉突出リングは、前記内容物が滑らかに吐出されるように、前記連通口と互い違いに具備され、前記移動流路と疎通流路とを連通させる連結口を具備することができる。
【発明の効果】
【００１６】
本発明によるポンプ式液体密閉容器は、本体の収容空間に、液状やゲル状の内容物が収容され、疎通口を具備した連結カバーが、本体と締結されて収容空間を限定し、チェック板が、真空圧力によって疎通口を開放させたり閉鎖させたりし、連結カバーの配置空間に嵌め込まれた弾性ポンプが、吐出ボタンの昇降時、収縮されたり復元されたりして移動流路に真空圧力を発生させ、吐出ボタンの密閉突出リングが、弾性ポンプの吐出チューブに密着されて移動流路を密閉させ、弾性ポンプが移動流路に内容物を流入させ、吐出チューブが真空圧力によって形態変形され、その内容物を吐出路に吐出させることにより、液状またはゲル状の内容物を余すところなく効果的に吐出させることができ、構造が簡素であって密閉力を増大させる効果を導き出す。
【００１７】
本発明の効果は、以上で言及されたところに限定されるものではなく、言及されていない他の効果は、以下の記載から当業者に明確に理解されるであろう。
【図面の簡単な説明】
【００１８】
【図１】本発明の一実施形態によるポンプ式液体密閉容器の分離斜視図である。
【図２】本発明一実施形態の断面図である。
【図３】本発明一実施形態に採用された吐出ボタンの下降時、弾性ポンプによって内容物が外部に吐出されるところについて説明するための部分断面図である。
【図４】本発明一実施形態に採用された吐出ボタンの上昇時、内容物が弾性ポンプの移動流路に流入されるところについて説明するための部分断面図である。
【図５】図１のＶ−Ｖ平面図である。
【図６】本発明の他の実施形態に採用された弾性ポンプの吐出チューブについて説明するための部分断面図である。
【図７】本発明のさらに他の実施形態に採用された弾性ポンプの吐出チューブ及び吐出ボタンの密閉突出リングについて説明するための部分断面図である。
【図８】本発明のさらに他の実施形態に採用された弾性ポンプの吐出チューブ及び吐出ボタンの密閉突出リングについて説明するための部分断面図である。
【発明を実施するための形態】
【００１９】
以下、本発明の一実施形態によるポンプ式液体密閉容器について、添付された図面を参照し、詳細に説明する。
【００２０】
図１は、本発明の一実施形態によるポンプ式液体密閉容器の分離斜視図であり、図２は、本発明の一実施形態の断面図であり、図３は、本発明一実施形態に採用された吐出ボタンの下降時、弾性ポンプによって内容物が外部に吐出されるところについて説明するための部分断面図であり、図４は、本発明一実施形態に採用された吐出ボタンの上昇時、内容物が弾性ポンプの移動流路に流入されるところについて説明するための部分断面図であり、図５は、図１のＶ−Ｖ平面図である。
【００２１】
該図面に図示されているように、本発明の一実施形態のポンプ式液体密閉容器は、本体１００、連結カバー２００、チェック板３００、弾性ポンプ４００、吐出ボタン５００を含んでなる（図１及び図２参照）。
【００２２】
前記本体１００は、上部が開放された筒状であり、長さを有し、長くなり、内部に液状の内容物を収容する収容空間１０１を形成する。前記本体１００は、プラスチックやアクリルのように、所定の強度を有し、前記内容物を識別することができる透明な素材からもなる。
【００２３】
前記本体１００は、上部が開放され、その上部に前記連結カバー２００が結合されることにより、前記収容空間１０１を形成する。前記本体１００は、連結カバー２００と多様な方式によって結合されるが、前記方式のうち嵌め込み結合方式によって、連結カバー２００と着脱可能に結合されることが望ましい。
【００２４】
前記本体１００は、透明素材によってなり、前記連結カバー２００と着脱可能に結合されることにより、ユーザが、その本体１００に収容された内容物の残留量を容易に識別することができ、連結カバー２００を分離し、収容空間１０１に内容物を充填することができるという長所を有する。
【００２５】
前記本体１００の収容空間１０１に収容される前記内容物は、化粧品、医療用試薬のように液状の物質を意味し、所定の粘度を有するゲル状の物質も含んでもなる。
【００２６】
前記連結カバー２００は、本体１００で開放された上部に着脱可能に嵌め込まれ、前記収容空間１０１を限定し、上部が開放された配置空間２０２を形成する。前記連結カバー２００は、前記収容空間１０１に向かう下部に、収容空間１０１と配置空間２０２とを互いに疎通させる疎通口２０１を具備する。
【００２７】
前記連結カバー２００は、前記本体１００のように、プラスチックやアクリルのような素材からなり、上部が開放された円柱状になることが望ましい。また、前記連結カバー２００の配置空間２０２は、弾性ポンプ４００設けられる空間であると同時に、その弾性ポンプ４００が嵌め込まれる嵌め込み空間である。
【００２８】
前記連結カバー２００は、底面に吐出ガイド管２０４をさらに含んでなる。前記吐出ガイド管２０４は、収容空間１０１に向けて連結カバー２００の底面から突出して長く形成され、前記疎通口２０１の周囲を覆い包む構造によってなる。前記吐出ガイド管２０４は、連結カバー２００と一体型になることが望ましく、前記疎通口２０１と収容空間１０１とを互いに疎通させる。
【００２９】
前記吐出ガイド管２０４は、ポンプ式液体密閉容器を最初に使用するとき、収容空間１０１に残留する空気を外部に吐出させることにより、内容物が内容物満タン線Ｚに位置した場合、その内容物満タン線Ｚの下側に位置し、一部分が内容物に浸かることにより、弾性ポンプ４００の移動流路４０１と収容空間１０１とに真空圧力が生成されるようにする。
【００３０】
併せて、前記吐出ガイド管２０４は、内容物吐出のために、吐出ボタン５００の昇降駆動時、疎通口２０１側の、真空圧力による吸入力を増大させ、前記内容物が弾性ポンプ４００の移動流路４０１に効果的に流入することができるようにする。
【００３１】
前記チェック板３００は、連結カバー２００の下部に具備された疎通口２０１に設けられた状態で、前記吐出ボタン５００の動作による真空圧力によって昇降し、疎通口２０１を閉鎖したり開放したりする。前記チェック板３００は、シリコンのようなフレキシブル（flexible）素材からなることが望ましい。
【００３２】
例えば、チェック板３００は、前記吐出ボタン５００が押されるとき、疎通口２０１を閉鎖することにより、真空圧力により、前記弾性ポンプ４００に収容された内容物がその吐出ボタン５００を介して外部に吐出されるようにする。
【００３３】
一方、吐出ボタン５００が昇降しながら、押される前の位置に位置復元されるとき、前記チェック板３００は、上昇して疎通口２０１を開放し、前記収容空間１０１に収容された内容物が、前記弾性ポンプ４００側に移動されることができるようにする。前記チェック板３００は、内容物が移動された後に下降し、前記疎通口２０１を再び閉鎖する。
【００３４】
前記弾性ポンプ４００は、シリコンのようなフレキシブル素材によってなり、長く形成され、前記連結カバー２００の配置空間２０２に設けられる。また、前記弾性ポンプ４００は、長手方向に沿って長く形成された移動流路４０１を内部に具備する。
【００３５】
前記弾性ポンプ４００の移動流路４０１は、前述のように、チェック板３００の上昇による疎通口２０１の開放時、前記収容空間１０１と互いに疎通し、前記内容物が弾性ポンプ４００側に移動するようにする。
【００３６】
前記弾性ポンプ４００は、側面の厚みが、各区間別に差を有することにより、ユーザによる吐出ボタン５００の押し動作時、前記厚みが薄く、配置空間２０２に位置した区間が収縮され、移動流路４０１に真空圧力を発生させる（図３参照）。
【００３７】
一方、前記弾性ポンプ４００は、吐出ボタン５００に加えられた外力が除去される場合、収縮された区間が本来の形態に復元され、前記吐出ボタン５００を上昇させ、原位置に戻し、内容物を移動流路４０１に流入させる（図４参照）。
【００３８】
前記弾性ポンプ４００は、連結カバー２００の配置空間２０２に嵌め込まれ、上部が吐出ボタン５００と締結され、外力によって形態が変形されたり復元されたりし、内容物の移動のための真空圧力を発生させることにより、液体密閉容器の構造を簡素化することができ、内容物を効果的に吐出させる効果を有する。
【００３９】
前記吐出ボタン５００は、吐出路５０１と密閉突出リング５０２とを具備し、連結カバー２００の開放された上部に嵌め込み結合される。前記密閉突出リング５０２は、弾性ポンプ４００の最上端に対向する吐出ボタン５００の内側面に突出したリング状になり、移動流路４０１に嵌め込まれることにより、その移動流路４０１を密閉させる。
【００４０】
前記密閉突出リング５０２が挿入される位置は、前記弾性ポンプ４００の最上側であり、その最上側に、吐出チューブ４０２が形成される。前記吐出チューブ４０２は、弾性ポンプ４００において、厚みがもっとも薄く、吐出路５０１と隣接した区間であり、真空圧力の発生時、形態が変形される。
【００４１】
前記吐出ボタン５００の吐出路５０１は、外部と移動流路４０１とを疎通させ、内容物が外部に吐出されるようにする。前記吐出路５０１は、弾性ポンプ４００の吐出チューブ４０２と隣接するように位置されることにより、吐出チューブ４０２が、外力によって反る場合、移動流路４０１と外部とを互いに疎通させる。
【００４２】
前述のような構成を有する本発明の一実施形態によるポンプ式液体密閉容器は、本体１００の収容空間１０１に、液状やゲル状の内容物が収容され、疎通口２０１を具備した連結カバー２００が、前記本体１００と締結されて収容空間を限定し、前記チェック板３００が、真空圧力によって、疎通口２０１を開放させたり閉鎖させたりし、前記連結カバー２００の配置空間２０２に嵌め込まれた弾性ポンプ４００が、吐出ボタン５００の昇降時、収縮されたり復元されたりし、移動流路４０１に真空圧力を発生させ、吐出ボタン５００の密閉突出リング５０２が、弾性ポンプ４００の吐出チューブ４０２に密着されて移動流路４０１を密閉させ、弾性ポンプ４００が、移動流路４０１に内容物を流入させ、吐出チューブ４０２が、真空圧力によって形態変形され、その内容物を吐出路５０１に吐出させることにより、液状またはゲル状の内容物を余すところなく効果的に吐出させることができ、構造を簡素化させて密閉力を増大させる効果を導き出す。
【００４３】
一方、前記吐出ボタン５００は、吐出路５０１と連結される疎通流路５０３を形成する。前記疎通流路５０３は、内容物が、移動流路４０１に収容された状態で、吐出ボタン５００の押し動作による真空圧力によって、前記吐出チューブ４０２が形態変形されるように空間を提供する。
【００４４】
併せて、前記疎通流路５０３は、前記吐出チューブ４０２が形態変形され、吐出路５０１側に（外側に向けて）反る場合、吐出路５０１と弾性ポンプ４００の移動流路４０１とを互いに疎通させることにより、液状またはゲル状の内容物を外部に滑らかに吐出させる効果を導き出す。
【００４５】
このとき、吐出ボタン５００は、下降した状態で、チェック板３００に真空圧力が加えられるようにし、そのチェック板３００が、連結カバー２００の疎通口２０１を閉鎖するようにし、前記内容物が、吐出チューブ４０２と密閉突出リング５０２との間に吐出されるようにする（図３参照）。
【００４６】
本実施形態に採用された前記チェック板３００は、前記連結カバー２００において、疎通口２０１が形成された挿入部２０３に嵌め込まれることにより、昇降時、連結カバー２００の下部から離脱しない。前記挿入部２０３は、連結カバー２００から収容空間１０１に向かう下部に凹型になり、中央部に前記疎通口２０１を具備する。
【００４７】
前記チェック板３００は、挿入リング３０１と開閉部材３０２及び連結リブ３０３を含んでなる。前記挿入リング３０１は、リング状になり、連結カバー２００の挿入部２０３に嵌め込まれる。前記挿入リング３０１は、シリコン材質からなり、所定の強度を有する材質によってもなる。
【００４８】
前記開閉部材３０２は、疎通口２０１の内部形態と対応する形態になり、真空圧力によって昇降し、その疎通口２０１を開放させたり閉鎖させたりする。前記開閉部材３０２は、吐出ボタン５００の押し動作による昇降時、内容物と共に、収容空間１０１または移動流路４０１に抜け出さないように、連結リブ３０３により、前記挿入リング３０１に連結される。
【００４９】
前記連結リブ３０３は、伸縮性を有した素材からなることが望ましく、前記挿入リング３０１の内周面から延長され、前記開閉部材３０２の外周面に連結され、複数からなる。従って、前記連結リブ３０３は、開閉部材３０２を、挿入リング３０１に連結された状態で昇降させる効果を導き出す（図５参照）。
【００５０】
併せて、本実施形態は、前記本体１００の収容空間１０１に配置される引き上げピストン６００をさらに含んでなる。前記引き上げピストン６００は、板状になり、前記収容空間１０１に上昇自在に配置され、真空圧力によって上昇し、内容物を前記弾性ポンプ４００の移動流路４０１側に押し上げる。
【００５１】
前記引き上げピストン６００は、上昇時、前記収容空間を分割し、本体１００の下部に形成された流入口１０２を介して空気を流入させる空気流入空間１０３を、その収容空間１０１に形成させる。
【００５２】
すなわち、引き上げピストン６００は、前記内容物が、吐出ボタン５００の吐出路５０１を介して外部に吐出された場合、前記吐出ボタン５００の位置復元時、疎通口２０１を介して移動する内容物を押し上げ、その内容物の移動量と比例するように上昇する。前記吐出ボタン５００の昇降により、前記引き上げピストン６００は、内容物を反復して弾性ポンプ４００側に押し上げることにより、収容空間１０１の内容物を余すところなく外部に吐出させることができるようにする長所を有する。
【００５３】
以上、本発明の一実施形態によるポンプ式液体密閉容器について説明した。以下では、図６を参照し、本発明の他の実施形態によるポンプ式液体密閉容器について説明する。
【００５４】
図６は、本発明の他の実施形態に採用された弾性ポンプの吐出チューブについて説明するための部分断面図である。
【００５５】
図６に図示されているように、本実施形態は、前述の実施形態とほとんどの構成が類似しているが、弾性ポンプ４００の吐出チューブ４０２の構造において差異がある。
【００５６】
すなわち、本実施形態に採用された前記吐出チューブ４０２は、二重構造によってなり、前記密閉突出リング５０２が嵌め込まれる嵌め込み溝４０３を形成する。前記吐出チューブ４０２は、嵌め込み溝４０３に、密閉突出リング５０２が嵌め込まれるようにし、前記密閉突出リング５０２の両方側面に密着されることにより、吐出ボタン５００が昇降しない場合、弾性ポンプ４００の移動流路４０１を二重に密閉させる効果を導き出す。
【００５７】
前記吐出チューブ４０２は、吐出ボタン５００の下降時、真空圧力により、前記密閉突出リング５０２から離隔されることにより、移動流路４０１に収容された内容物が、その離隔された空間を経由し、吐出路５０１に吐出されるようにする。
【００５８】
以上、本発明の他の実施形態によるポンプ式液体密閉容器について説明した。以下では、図７及び図８を参照し、本発明のさらに他の実施形態によるポンプ式液体密閉容器について説明する。
【００５９】
図７及び図８は、本発明のさらに他の実施形態に採用された弾性ポンプの吐出チューブ及び吐出ボタンの密閉突出リングについて説明するための部分断面図である。
【００６０】
該図面に図示されているように、本実施形態は、前述の実施形態とほとんどの構成が類似しているが、弾性ポンプ４００の吐出チューブ４０２及び吐出ボタン５００の密閉突出リング５０２の構造において差異がある。
【００６１】
すなわち、前記吐出チューブ４０２は、連通口４０４を具備することが望ましい。前記連通口４０４は、二重構造からなる吐出チューブ４０２において、内側に配置された吐出チューブ４０２に設けられることにより、前記弾性ポンプ４００の移動流路４０１と嵌め込み溝４０３とを互いに疎通（連通）させる。
【００６２】
一方、前記密閉突出リング５０２は、連結口５０４を具備することが望ましい。前記連結口５０４は、前記連通口４０４と互い違いの位置に具備され、吐出ボタン５００が昇降しない場合、吐出チューブ４０２によって閉鎖され、移動流路４０１が密閉された状態を維持する（図７参照）。
【００６３】
前記連結口５０４は、前記吐出ボタン５００が下降し、弾性ポンプ４００が収縮されるによって真空圧力が生じる場合、吐出チューブ４０２の脱離によって開放されることにより、移動流路４０１及び連通口４０４を経由した内容物を、疎通流路５０３に移動させ、前記内容物が滑らかに吐出路５０１に吐出されるようにする効果を有する。
【００６４】
以上、本発明に係わる望ましい実施形態について説明したが、本発明は、前述の実施形態に限定されるものではなく、特許請求の範囲に記載されたところによって定義されながら、本発明が属する技術分野において、多様な変形と改作とが可能であるということが自明である。
【産業上の利用可能性】
【００６５】
本発明のポンプ式液体密閉容器は、例えば、液体貯蔵関連の技術分野に効果的に適用可能である。
【符号の説明】
【００６６】
１００    本体
１０１    収容空間
１０２    流入口
１０３    空気流入空間
２００    連結カバー
２０１    疎通口
２０２    配置空間
２０３    挿入部
３００    チェック板
３０１    挿入リング
３０２    開閉部材
３０３    連結リブ
４００    弾性ポンプ
４０１    移動流路
４０２    吐出チューブ
４０３    嵌め込み溝
４０４    連通口
５００    吐出ボタン
５０１    吐出路
５０２    密閉突出リング
５０３    疎通流路
５０４    連結口
【図１】
2019018917.tif 000003
【図２】
2019018917.tif 000004
【図３】
2019018917.tif 000005
【図４】
2019018917.tif 000006
【図５】
2019018917.tif 000007
【図６】
2019018917.tif 000008
【図７】
2019018917.tif 000009
【図８】
2019018917.tif 000010